【事件の表示】
　平成１０年特許願第５２１６７７号「コンピュータ周辺機器の適応装置及び方法」拒絶査定不服審判事件〔平成１０年　５月１４日国際公開、ＷＯ９８／２０４０４、平成１３年　５月２２日国内公表、特表２００１−５０６７８０〕について、次のとおり審決する。
【結　論】
　本件審判の請求は、成り立たない。
【理　由】
第１　手続の経緯
　本願は、１９９７年１１月４日（パリ条約による優先権主張、１９９６年１１月４日、米国、１９９７年２月１４日、米国）を国際出願日とする出願であって、平成１６年１１月４日付けで手続補正がなされ、平成１９年１０月３１日付けで拒絶理由が通知され、平成２０年８月１日付けで拒絶査定がなされ、これに対して同年１１月１０日に拒絶査定不服審判が請求されたものである。
　
第２　本願発明
　本願の請求項１〜１０に係る発明は、平成１６年１１月４日付け手続補正書によって補正された特許請求の範囲の請求項１〜１０に記載されたとおりのものであるところ、請求項６に係る発明（以下「本願発明」という。）は次のとおりのものである。
「複数の物理的に遠隔の周辺機器とポータブル・コンピュータのマザーボード拡張インターフェースとのインターフェースを与えるコントローラを有するドッキング・ステーションであって、前記コントローラは、前記ポータブル・コンピュータのマザーボード拡張インターフェースからの出力信号を前記遠隔の周辺機器と互換性を有する形式に変換し、更に、前記遠隔の周辺機器からの入力信号を前記ポータブル・コンピュータのマザーボード拡張インターフェースと互換性を有する形式に変換し、前記コントローラは、前記マザーボード拡張インターフェースへの前記周辺機器のアクセスの優先順位を決定することを特徴とするドッキング・ステーション。」
　
第３　引用例
　原査定の拒絶の理由で引用された、本願の優先日前に頒布された特開平４−１００１５号公報（以下、「引用例」という。）には、図面とともに以下の技術事項が記載されている。
　
（イ）「２．特許請求の範囲
　バッテリ、ＡＣアダプタのいずれの電源でも駆動可能な本体へＡＣ駆動の拡張ボックスを接続することによりシステム拡張をはかるパーソナルコンピュータにおいて、上記拡張ボックスは、自身の電源投入後に本体の電源を投入したときのみ拡張カードへ電力を供給する電源制御回路を具備し、パーソナルコンピュータ本体と拡張ボックス間の異常立上げを判定して、上記拡張ボックスへ差込まれる拡張カードへの電力供給のオン・オフを制御することを特徴とする電源供給制御方式。」（第１頁左下欄第４〜１４行）
　
（ロ）「（産業上の利用分野）
　この発明は、パーソナルコンピュータ本体にシステム拡張のために接続される拡張ボックスにおける電源供給制御方式に関する。」（第１頁左下欄第１７〜２０行）
　
（ハ）「パーソナルコンピュータの分野では従来のディスクトップタイプに代わり、小形、軽量、携帯に便利なラップトップタイプが普及し、その主役の座を占めつつある。ラップトップパーソナルコンピュータは、ポータブル性を重要視するため業界標準の拡張ボードを差し込むための空間がない場合が多い。一般には、拡張ボックスに拡張カードを差し、パーソナルコンピュータ本体とはインタフェースケーブルで接続する方法により対処していた。」（第１頁右下欄第２〜１１行）
　
（ニ）「第１図は本発明の実施例を示すブロック図である。
　図において、符号１はバッテリもしくはＡＣアダプタによって駆動されるラップトップパーソナルコンピュータであり、インタフェース信号線３を介して拡張ボックス２と接続される。符号２１は電源回路であり、スイッチオンによりパーソナルコンピュータ１へ電力を供給する。また、制御回路２２を通して拡張ボード２８へ供給する電圧を作りだす。符号２２は制御回路であり、パーソナルコンピュータ１への出力電圧、及びパーソナルコンピュータ１とのインタフェース信号の一部が入力され、拡張ボード２８へ供給すべき電圧のオン・オフ制御を行う。
　符号２３は出力電圧が供給されるラインであり、このラインを介してラップトップパーソナルコンピュータ１へ電力が供給される。このラインは、拡張ボックス２のスイッチがオンされると電圧は直ちに出力される。符号２４は拡張ボード２８に対し出力電圧を供給するためのラインである。このラインは、制御回路２２により出力電圧がオン・オフ制御される。符号２５はインタフェース信号が転送されるラインであり、パーソナルコンピュータ１が起動したことを示す信号、例えば、動作電圧Ｖｃｃで、制御回路２２へ入力される。符号２６はインタフェース信号バスであり、パーソナルコンピュータ１と拡張ボード２８との間の情報伝達のために使用される。」（第２頁右下欄第１９行〜第３頁右上欄第６行）
　
　また、図面第１図には、「ラップトップパーソナルコンピュータ本体１」内に記載された「Ｉ／Ｆ回路」と、「拡張ボックス２」内に記載された「Ｉ／Ｆ回路２７」とが、「インタフェース信号線３」により双方向に接続され、また、「拡張ボックス２」内の「Ｉ／Ｆ回路２７」と「拡張ボード２８」とが、「インタフェース信号バス２６」にて双方向に接続されていることが記載されている（なお、両向きの矢印で記された信号線が双方向の信号伝送を意味することは、当業者に明らかである。）。　
　
　上記引用例載事項及び図面を総合勘案すると、引用例には、次の発明（以下、「引用発明」という。）が記載されていると認められる（なお、引用例には「拡張カード」と「拡張ボード」との用語が錯綜して用いられているが、両者は同義であるので、以下、「拡張カード」という。）。
　
 「ラップトップパーソナルコンピュータ本体１にシステム拡張のために接続される拡張ボックス２であって、拡張ボックス２のＩ／Ｆ回路２７は、ポータブル性を重要視するラップトップパーソナルコンピュータ本体１のＩ／Ｆ回路とインタフェース信号線３で双方向に接続され、拡張ボックス２には拡張カード２８が差され、拡張ボックス２のＩ／Ｆ回路２７と拡張カード２８とはインタフェース信号バス２６で双方向に接続され、インタフェース信号バス２６は、ラップトップパーソナルコンピュータ１と拡張カード２８との間の情報伝達のために使用される、拡張ボックス２。」
　
第４　対比
　引用発明の「ラップトップパーソナルコンピュータ本体１」は、「ポータブル性を重要視する」コンピュータであるから、本願発明の「ポータブル・コンピュータ」に相当する。
　次に、引用発明の「拡張ボックス２」は、「拡張カード２８が差され」、「ラップトップパーソナルコンピュータ本体１にシステム拡張のために」「インタフェース信号線３で双方向に接続され」ているから、以下に記載する相違点は別として、本願発明の「ドッキング・ステーション」に相当する。
　次に、引用発明において、「ラップトップパーソナルコンピュータ本体１のＩ／Ｆ回路」は、「システム拡張のため」に「拡張ボックス２」を接続する「Ｉ／Ｆ回路」であるから、本願発明の「マザーボード拡張インターフェース」とは、「拡張インターフェース」である点で共通する。
　次に、引用発明の「拡張カード２８」の差された「拡張ボックス２」は、「ラップトップパーソナルコンピュータ本体１」と「インタフェース信号線３」で接続されており、しかも前記「第３　引用例」の摘記事項（ハ）の「一般には、拡張ボックスに拡張カードを差し、パーソナルコンピュータ本体とはインタフェースケーブルで接続する方法により対処していた。」との記載より、該「インタフェース信号線３」は「ケーブル」を含むと解釈できるから、引用発明の「拡張ボックス」は、「ラップトップパーソナルコンピュータ本体１」に対し、物理的に遠隔のものといえる。
　従って、引用発明において「ラップトップパーソナルコンピュータ本体１」に対して物理的に遠隔とされた「拡張ボックス２」に「差され」た「拡張カード２８」と、本願発明の「複数の物理的に遠隔の周辺機器」とは、「物理的に遠隔の周辺機能部」である点で共通するといえる。
　次に、引用発明の「拡張ボックス２のＩ／Ｆ回路２７」と、本願発明の「マザーボード拡張インターフェース」との「インターフェースを与えるコントローラ」とは「拡張インターフェース」との「インターフェースを与える手段」の点で共通する。
　次に、引用発明において、「拡張ボックス２のＩ／Ｆ回路２７」は、「拡張カード２８」と、「ラップトップパーソナルコンピュータ１と拡張カード２８との間の情報伝達のために使用される」「インタフェース信号バス２６で双方向に接続され」、更に、「ラップトップパーソナルコンピュータ本体１のＩ／Ｆ回路とインタフェース信号線３で双方向に接続され」ているから、本願発明の「前記ポータブル・コンピュータのマザーボード拡張インターフェースからの出力信号を前記遠隔の周辺機器と互換性を有する形式に変換し、更に、前記遠隔の周辺機器からの入力信号を前記ポータブル・コンピュータのマザーボード拡張インターフェースと互換性を有する形式に変換し」、「前記マザーボード拡張インターフェースへの前記周辺機器のアクセスの優先順位を決定する」「コントローラ」とは、「前記ポータブル・コンピュータの拡張インターフェースからの出力信号を前記遠隔の周辺機能部に伝え、更に、前記遠隔の周辺機能部からの入力信号を前記ポータブル・コンピュータの拡張インターフェースへ伝える」「手段」の点で共通する。
　
　すると、本願発明と引用発明とは、次の点で一致する。  
　
＜一致点＞
「物理的に遠隔の周辺機能部とポータブル・コンピュータの拡張インターフェースとのインターフェースを与える手段を有するドッキング・ステーションであって、前記手段は、前記ポータブル・コンピュータの拡張インターフェースからの出力信号を前記遠隔の周辺機能部に伝え、更に、前記遠隔の周辺機能部からの入力信号を前記ポータブル・コンピュータの拡張インターフェースへ伝えることを特徴とするドッキング・ステーション。」
　
　一方で、両者は、次の点で相違する。
＜相違点１＞
　本願発明では、「ドッキング・ステーション」が「複数の周辺機器」を有しているのに対し、引用発明では「拡張ボックス２」（本願発明の「ドッキング・ステーション」に相当する。以下、同様。）が「インタフェース信号バス２６」に接続され「拡張カード２８」を有しているものの、「複数の周辺機器」を有しているとは記載されていない点。
　
＜相違点２＞
　本願発明では、「ポータブル・コンピュータ」の拡張インターフェースが「マザーボード拡張インターフェース」であるのに対し、引用発明では「ラップトップパーソナルコンピュータ本体１」（ポータブル・コンピュータ）の「Ｉ／Ｆ回路」は、「ラップトップパーソナルコンピュータ本体１」の「システム拡張のため」のインターフェースであるものの、「マザーボード拡張インターフェース」とは記載されていない点。
　
＜相違点３＞
　本願発明の「ドッキング・ステーション」は、「前記ポータブル・コンピュータのマザーボード拡張インターフェースからの出力信号を前記遠隔の周辺機器と互換性を有する形式に変換し、更に、前記遠隔の周辺機器からの入力信号を前記ポータブル・コンピュータのマザーボード拡張インターフェースと互換性を有する形式に変換し」、「前記マザーボード拡張インターフェースへの前記周辺機器のアクセスの優先順位を決定」する「コントローラ」を有しているのに対して、引用発明の「拡張ボックス２」（ドッキング・ステーション）は、「ポータブル性を重要視するラップトップパーソナルコンピュータ本体１のＩ／Ｆ回路とインタフェース信号線３で双方向に接続され」、「拡張カード２８とはインタフェース信号バス２６で双方向に接続され」た「拡張ボックス２のＩ／Ｆ回路」を有しているものの、該「拡張ボックス２のＩ／Ｆ回路２７」が、「ラップトップパーソナルコンピュータ本体１のＩ／Ｆ回路」（拡張インターフェース）からの出力信号を「拡張カード２８」と互換性を有する形式に変換することも、上記「拡張カード２８」からの入力信号を「ラップトップパーソナルコンピュータ本体１のＩ／Ｆ回路」（拡張インターフェース）と互換性を有する形式に変換することも、「ラップトップパーソナルコンピュータ本体１のＩ／Ｆ回路」（拡張インターフェース）への「拡張カード２８」のアクセスの優先順位を決定することも、記載されていない点。
　
第５　判断
＜相違点１＞について：
　ポータブル・コンピュータに接続される拡張ボックス（ドッキング・ステーション）のバスに、複数の周辺デバイス（周辺機器）を接続することは、本願の優先日前において周知技術である（例えば、米国特許第５１２３０９２号明細書（「Referring to FIG. 1, the preferred embodiment is described in terms of a portable microcomputer 29 having a detachable expansion box 30 which receives plugin devices in accordance with the PC bus standard for device compatibility.」（第２欄第２８〜３２行）（当審訳：図１を参照すると、デバイスの互換性のためのＰＣバス規格と適合する差し込み式のデバイスを受け入れる、分離可能な拡張ボックス３０を有するポータブル・マイクロコンピュータ２９に関する好ましい実施例が記載されている。）、「The expansion bus is in conformance with the PC bus standard and receives expansion devices 28a-28d. The expansion devices may comprise any number of devices. The devices shown in the drawings are merely an example. 」（第３欄第３３〜３７行）（当審訳：拡張バスは、ＰＣバス規格に準拠し、拡張デバイス２８ａ−２８ｄを受け入れる。拡張デバイスの数はいくつでもよい。図面中に示されたデバイスは、単なる例示である。）、及びＦＩＧ．１〜ＦＩＧ．３（拡張デバイス２８ｃは「ＦＬＯＰＰＹ」と記載されている。）参照。）、本願明細書の「２．技術水準」の欄に記載された「ＰＣＴ特許出願第ＰＣＴ／ＵＳ９６／０３２４８号」の国際公開である、国際公開９６／２７８３６号（国際公開日：１９９６年９月１２日）（「Widely used hardware devices such as modems, random access memory, and disk drives, for example, are all available as PC cards and will soon be available as CardBus Cards.」（第２頁第９〜１２行）（パテントファミリーである特表平１０−５０２４７７号公報（以下、「公表公報」という。）第９頁第６〜８行による翻訳：例えば、モデム、ランダム・アクセス・メモリ、ディスク・ドライブなどの広く用いられているハードウェアは、すべてが、PCカードとして入手可能であり、近い将来には、カードバス・カードとして入手可能になるであろう。）、「It will be appreciated that the present invention encompasses arrangements where only one ISA or PCI compliant device is accommodated and situations where numerous ISA and/or PCI compliant devices are accommodated. Thus, a larger or smaller number of back plane connectors 138A-D can be provided as well as omission of, or more devices added to, the keyboard, mouse, serial, and parallel ports.  The video add-on card 10 is preferably any one of a number of video cards available in the industry and is merely exemplary of the ISA and PCI compliant devices which can be added to the back plane assembly 136.」（第１３頁第２２〜３３行）（公表公報第１９頁第１〜９行による翻訳：本発明は、ただ１つのISA又はPCIコンプライアントなデバイスが与えられる構成と、多数のISA及び／又はPCIコンプライアントなデバイスが与えられた環境との両方に適応し得ることを理解されたい。このように、これよりも多い又は少ない数の背面コネクタ１３８A−Dを与えたり、キーボード、マウス、シリアル及びパラレル・ポートを除いたり付加したりすることも可能である。ビデオ・アドオン・カード１０は、好ましくは、この産業において入手可能な多数のビデオ・カードの中の任意の１つであり、背面アセンブリ１３６に付加し得るISA及びPCIコンプライアントなデバイスの例に過ぎない。）、「From the forgoing, it will be appreciated that the present invention provides a system and method for conveniently expanding a computer using widely available peripheral devices even though such devices are not intended to be used with the computer. The present invention also provides a system and method for expanding the capabilities of a portable computer, and particularly a lap top or smaller computer, using devices intended to be installed in a desk top computer and in particular the present invention conveniently and reliably interfaces ISA and/or PCI compliant expansion add-on printed circuit cards with a PCMCIA compliant socket. The present invention also allows expansion of the number of ports found on a lap top or smaller computer via the PCMCIA socket found on the computer and provides for interfacing of a device which requires any one of a number of different interrupt requests with a computing device which provides only one interrupt request.」（第３３頁第２７行〜第３４頁第１０行）（公表公報第３５頁第２０行〜第３６頁第５行による翻訳：以上から、本発明が、広く入手可能な周辺デバイスを用いて、それらのデバイスがそのコンピュータと共に用いられることが想定されていない場合でも、コンピュータを便利に拡張するシステム及び方法を提供することが理解されよう。本発明は、また、ポータブル・コンピュータ、特にラップトップ・コンピュータやそれよりも更に小型のコンピュータの能力を、デスクトップ・コンピュータにインストールすることを想定されたデバイスを用いて拡張するシステム及び方法を提供する。また、特に、本発明は、ISA及び／又はPCIコンプライアントな拡張用アドオン型プリント回路カードと、PCMCIAコンプライアントなソケットとを、便利に信頼性をもって、インターフェースする。
  本発明によれば、また、ラップトップ・コンピュータ又はそれよりも更に小型のコンピュータ上に設けられたポートの数の拡張が可能になり、更に、多数の異なる割り込み要求の中の任意の１つを要求するデバイスと、ただ１つの割り込み要求しか与えない計算デバイスとの間のインターフェースが提供される。））参照。）。
　よって、引用発明に該周知技術を適用し、引用発明の「拡張ボックス２」（ドッキング・ステーション）が、「インタフェース信号バス２６」に接続された複数の周辺デバイス（周辺機器）を有するものとすることは、当業者が容易になし得たことである。
　
＜相違点２＞について：
　パーソナルコンピュータの「拡張インターフェース」が、パーソナルコンピュータ本体内の「マザーボード」の「拡張インターフェース」であることは、当業者に普通に知られていることである（必要であれば、特開平８−１７１９６６号公報第０００２段落の「【０００２】【従来の技術】一般に、パソコンなどのコンピュータシステムでは、メモリボードや周辺機器のインターフェースボードなどの拡張ボード（子基板）を接続するため、電気コネクタと呼ばれるソケットがマザーボード（親基板）上に装備されている。」参照。）
　よって、引用発明の「ラップトップパーソナルコンピュータ本体１のＩ／Ｆ回路」（拡張インターフェース）は、実質的に「マザーボード拡張インターフェース」であるといえるから、この点は実質的な相違点ではない。
　
＜相違点３＞について：
　コンピュータに周辺装置（周辺機器）を接続する際、コンピュータの周辺装置接続用コネクタ（拡張インターフェース）からの出力信号を、周辺装置（周辺機器）と互換性を有する形式に変換し、更に、前記周辺装置（周辺機器）からの入力信号を、コンピュータの周辺装置接続用コネクタ（拡張インターフェース）と互換性を有する形式に変換することは、本願の優先日前において周知技術である（例えば、特開平６−１６２７５４号公報（「例えば現在のパソコンは、デスクトップ（卓上）型とノート型（ラップトップ型ともいう）とに大別される。」（第【０００３】段落第２文）、「【０００６】一方、ノート型パソコンは携帯性を重視して小型（又は薄型）で軽量に設計されているため、スペースファクタに優れているが、周辺装置を接続するためにＣＰＵバスコネクタが１個（又は２個）用意されている程度であるから、拡張性が良くない。
【０００７】そのため、図９に示すように、ノート型パソコン４０のＣＰＵバスコネクタにＣＰＵバスケーブル４１を介してＳＣＳＩ用の拡張ボックス４２を接続し、拡張ボックス４２に内蔵されたコンバータ４３によってＣＰＵバス信号とＳＣＳＩ信号とを相互に変換した後、拡張ボックス４２のＳＣＳＩコネクタをＳＣＳＩケーブル４４を介して光ディスクサブシステム３５のＳＣＳＩコネクタに接続していた。」（第【０００６】〜第【０００７】段落第１文））、登録実用新案第３００１４２９号公報（発行日：平成６年８月３０日）（「コンピュータシステムからの信号は次のようになる。すなわち、ＰＣＭＣＩＡインターフェースバス１００側からコネクタ３を介して、バス変換コントローラ２ａに、データ，アドレス，制御の各信号が入力される。入力されたＰＣＭＣＩＡ対応のバス上のデータ，アドレス，制御の各信号はそれぞれＩＳＡバスに対応した信号に変換されて、バス変換コントローラ２ａの出力側、すなわちＩＳＡバス側のコネクタ４に出力される。出力されたデータ，アドレス，制御の各信号はＩＳＡバス対応となってＩＳＡバス上を伝送し、負荷側である周辺装置に入力される。
  前記と反対に周辺装置からの信号は次のようになる。すなわち、ＩＳＡ対応の周辺装置、本実施例では図１（ｂ）のようなＩＳＡバス用ＩＣカード５１を有するＣＤ−ＲＯＭ装置１３側からＩＳＡバス上に出力したデータ，アドレス，制御の各信号はコネクタ４を介してそれぞれエミュレーション用ＩＣカード２のバス変換コントローラ２ａによりＰＣＭＣＩＡ対応の各信号に変換されて、コネクタ３を介してＰＣＭＣＩＡバス上に出力され、コンピュータシステムに入る。」（第１１頁第２２行〜第１２頁第６行））、欧州特許出願公開第０７２３２３２号明細書（公開日：１９９６年７月２４日）（「To utilize this standardized PCMCIA electronic interface, which is found on almost every notebook computer now being manufactured, as an expansion interface for a hard disk and/or a CD-ROM drive for notebook computers, an electronic conversion device was proposed and built for the conversion between the ATA and the PCMCIA buses. FIG. 1 depicts such an implementation. As is shown in FIG. 1, the proposed scheme of providing a conversion between the ATA interface 30 and the PCMCIA interface 10 requires building a PCMCIA/ATA conversion integrated circuit electronic device 20 that actually performs the conversion for the electronic signals between the two interface standards. This conversion IC device 20 can be implemented in one single IC chip, so that it can be fitted within the small dimension of a PCMCIA card that can be inserted in a PCMCIA slot of a notebook computer. The added hard disk and/or CD-ROM device can be attached to the ATA connector of the device 20, allowing the hard disk and/or CD-ROM drives to be physically hooked up to the notebook computer externally.」（第２頁第３９〜４９行）（当審訳：現在製造されているほとんどすべてのノート型コンピュータに見いだされる、標準化されたPCMCIA電子インターフェースを、ハードディスク及び／又はCD-ROMドライブのためのノート型コンピュータ用拡張インタフェースとして利用するために、拡張インターフェースとして、ATAとPCMCIAバスの間の変換のための電子変換装置が提案され、製造されました。図1はそのような実装を示しています。図1に示されるように、ATAインターフェース30とPCMCIAインターフェース10との間の変換を提供する提案されたスキームは、2つのインターフェース標準間の電気的な信号変換を実際に行なうPCMCIA/ATA変換集積回路電子デバイス20を製造することを要求します。この変換ＩＣデバイス20は、ノート型コンピュータのPCMCIAスロットに挿入することができるPCMCIAカードの小さなサイズ内に適合されるように、１枚の単一のＩＣチップの中に実装することができます。追加のハードディスク及び／又はCD-ROMデバイスは、デバイス20のATAコネクターに接続することができ、ノート型コンピュータの外部から、ハードディスク及び／又はCD-ROMドライブを物理的に接続可能とします。））、及び、前記国際公開９６／２７８３６号（「Reference will next be made to Figure 3 which is a block diagram showing the electrical functions carried out by the embodiments described herein. Reference will also be made to Figure 3A which is a block diagram showing the principal functional tasks carried out by the translator circuit 152 represented in Figure 3. It will be appreciated that the primary function of the present invention can be described as translation between PCMCIA signals to ISA and/or PCI signals.」（第１６頁第５〜１３行）（公表公報第２１頁第２〜７行による翻訳：次に図３を参照するが、この図３は、ここで説明されている実施例によって実行される電気的な機能を示すブロック図である。更に、図３Aを参照するが、この図は、図３に示された翻訳回路１５２によって実行される主な機能タスクを示すブロック図である。本発明の主要な機能は、PCMCIA信号からISA及び／又はPCI信号への翻訳として説明され得ることを理解されたい。）、「and in particular the present invention conveniently and reliably interfaces ISA and/or PCI compliant expansion add-on printed circuit cards with a PCMCIA compliant socket. 」（第３４頁第１〜４行）（公表公報第３５頁第２６行〜第３６頁第1行による翻訳：また、特に、本発明は、ISA及び／又はPCIコンプライアントな拡張用アドオン型プリント回路カードと、PCMCIAコンプライアントなソケットとを、便利に信頼性をもって、インターフェースする。））参照。）。
　また、拡張バスに複数の拡張デバイス（周辺機器）を接続する際、複数の拡張デバイス間の優先順位に従って、拡張バスの使用を許可する（周辺機器のアクセスの優先順位を決定する）制御手段を用いることも、例えば、特開平５−１８９３６３号公報の【従来の技術】欄に「さらに拡張バス制御手段２０９は、拡張デバイスＡ２０５と拡張デバイスＢ２０７の双方が同時に拡張バス２０４とバス２０１の使用を要求した時には、あらかじめ決められている優先順位に従って、拡張デバイスＡ２０５または拡張デバイスＢ２０７のいづれかに拡張バス２０４の使用を許可するとともにバス調停手段２１３に対してバス２０１の使用を要求する。」（第２欄第１３〜１９行）と記載されているように、周知技術である。
　よって、引用発明の「拡張ボックス２のＩ／Ｆ回路２７」に上記各周知技術を適用して信号形式変換機能と優先順位決定機能とを有する制御手段（コントローラ）とすること、つまり、引用発明の「拡張ボックス２」（ドッキング・ステーション）が、「ラップトップパーソナルコンピュータ本体１のＩ／Ｆ回路」（拡張インターフェース）からの出力信号を複数の周辺デバイス（周辺機器）に伝える際、上記出力信号を、「インタフェース信号バス２６」に接続された複数の周辺デバイス（周辺機器）と互換性を有する形式に変換し、更に、前記複数の周辺デバイス（周辺機器）からの入力信号を前記「ラップトップパーソナルコンピュータ本体１のＩ／Ｆ回路」（拡張インターフェース）に伝える際、上記入力信号を、「ラップトップパーソナルコンピュータ本体１のＩ／Ｆ回路」（拡張インターフェース）と互換性を有する形式に変換し、また、引用発明の「インタフェース信号バス２６」に複数の周辺デバイス（周辺機器）を接続する際、複数の周辺デバイス（周辺機器）間の優先順位に従って、「インタフェース信号バス２６」の使用を許可する（拡張インターフェースへの周辺機器のアクセスの優先順位を決定する）コントローラを有するようにすることは、当業者が容易になし得たことである。
　
　また、本願発明の作用効果も引用発明及び周知技術から当業者が予測できる程度のものである。
　
第６　むすび
　以上のとおり、本願の請求項６に係る発明は、引用例に記載された発明及び周知技術に基づいて当業者が容易に発明をすることができたものであるから、特許法第２９条第２項の規定により特許を受けることができないものである。
　従って、その余の請求項について論及するまでもなく、本願は、拒絶すべきものである。  
　よって、結論のとおり審決する。